【事件の表示】
　平成　７年特許願第２２１０６０号「表示システム」拒絶査定不服審判事件〔平成　９年　２月１８日出願公開、特開平　９−　５０２６８〕について、次のとおり審決する。
【結　論】
　本件審判の請求は、成り立たない。
【理　由】
１．手続の経緯・本願発明 
　本願は平成７年８月７日の出願であって、その請求項１に係る発明（以下、本願発明という。）は、平成１４年１０月１５日提出の手続補正書、平成１４年１２月１９日提出の手続補正書により補正された明細書及び図面の記載からみて、その特許請求の範囲の請求項１に記載された事項により特定される次のとおりのものと認める。 
　
【本願発明】「タイミングコントローラによって各種の走査信号を生成して、これらの各走査信号とともに、表示対象となる画像の内容を示す表示データを表示モジュールに供給して画面表示させる表示システムにおいて、 
　前記タイミングコントローラのイニシャライズが終了したときＣＰＵ回路から出力されるイニシャライズ終了信号をラッチするラッチ回路と、前記イニシャライズ終了信号がラッチされているとき走査信号を取込んで表示モジュールの駆動する走査信号を生成するアンド回路とを備え、 
　前記タイミングコントローラのイニシャライズが終了するまで、前記タイミングコントローラで生成される走査信号のうち、予め指定されている走査信号の出力を中止し、前記タイミングコントローラのイニシャライズが終了したときＣＰＵ回路から出力されるイニシャライズ終了信号がラッチされ出力を中止していた走査信号の出力を開始し、表示モジュールの駆動を開始させることによって、イニシャライズ時における表示モジュールの画面が乱れないようにすることを特徴とする表示システム。」 
 　　　　　　　　 
２．当審の拒絶理由 
　一方、当審において平成１７年６月９日付けで通知した拒絶の理由の概要は、本願発明は、本願出願前に頒布された特開昭６３−３０４２２８号公報（以下、「引用刊行物Ａ」という。）、同じく、本願の出願前に頒布された実願昭５６−２６９００号（実開昭５７−１３９９８８号）のマイクロフィルム（以下、「引用刊行物Ｂ」という。）に記載された発明に基づいて当業者が容易に発明をすることできたものであるから、特許法第２９条第２項の規定により特許を受けることができない、というものである。 
 　　　　　　　　　
３．引用刊行物記載の発明  
　上記引用刊行物Ａには、 
（Ａ−１）「〔産業上の利用分野〕本発明は、液晶表示装置に関し、特に、時分割駆動方式の液晶表示装置に適用して有効な技術に関するものである。〔従来の技術〕コンピュータ，卓上計算機等のディスプレイには、時分割駆動方式の液晶表示装置が使用されている。」（第１頁右下欄第６〜１３行）こと、 
（Ａ−２）「液晶表示装置の電源投入時からのしばらくの間、コントローラから出力される表示開始信号、表示データ信号が不確定であるので、液晶表示が異常に乱れる。・・・このため、液晶表示素子の耐久性が劣化するという問題点を生じる。また、液晶表示装置の電源投入時からしばらくの間、液晶表示が非常に見苦しいという問題点を生じる。本発明の目的は、時分割駆動方式の液晶表示装置において、液晶表示素子の耐久性を向上することが可能な技術を提供することにある。本発明の他の目的は、時分割駆動方式の液晶表示装置において、電源投入時から所定の期間、液晶表示部を表示させないことが可能な技術を提供することにある。本発明の他の目的は、時分割駆動方式の液晶表示装置において、電源投入時から所定の期間における液晶表示部の見苦しさを低減することが可能な技術を提供することにある。」（第２頁左上欄最下行〜右上欄最下行）こと、 
（Ａ−３）「第１図に示すように、時分割駆動方式の液晶表示装置は、走査電極２及び表示電極３で液晶表示部１を構成している。・・・夫々の走査電極２は、走査電極駆動回路４に接続されている。走査電極駆動回路４は、シフトレジスタ回路４Ａ及びセレクトスイッチ４Ｂで構成されている。シフトレジスタ回路４Ａは、コントローラ回路６から出力される表示開始信号ＦＬＭと、この表示開始信号ＦＬＭをシフトするクロック信号ＣＬ１とが入力される。・・・セレクトスイッチ回路４Ｂは・・・交流化信号Ｍとが入力される。・・・表示電極駆動回路５は、シフトレジスタ回路５Ａ、データラッチ回路５Ｂ及びセレクトスイッチ回路５Ｃで構成されている。シフトレジスタ回路５Ａは、前記コントローラ回路６からの表示データ信号Ｄと、この表示データ信号Ｄをシフトするクロック信号ＣＬ２とが入力される。・・・データラッチ回路５Ｂは、走査電極駆動回路４のシフトレジスタ回路４Ａとの同期を取るため、クロック信号ＣＬ１が入力される。セレクトスイッチ回路５Ｃには・・・交流化信号Ｍとが入力される。・・・このように構成される時分割駆動方式の液晶表示装置は、走査電極駆動回路４のシフトレジスタ回路４Ａとコントローラ回路６との間に、リセット回路８が設けられている。リセット回路８は、液晶表示装置の電源投入時から所定の期間、走査電極２を全べて非選択状態（ロウレベル“Ｌ”）にするように構成されている。リセット回路８は、図示しない電源投入スイッチを介在させて電源Ｖに接続された抵抗素子Ｒ、この抵抗素子Ｒに直列接続された容量素子Ｃ、及び一端子にコントローラ回路６からの表示開始信号ＦＬＭが直接入力し、他端子に前記電源Ｖからの遅延された電源が入力するアンド回路ＡＮＤで構成されている。アンド回路ＡＮＤの出力は、シフトレジスタ回路４Ａに入力される。つまり、リセット回路８は、電源を投入すると、電源Ｖから抵抗素子Ｒを通して流れた電流によって容量素子Ｃが充電され、この容量素子Ｃの充電後の充電レベルと表示開始信号ＦＬＭとの論理積によって、シフトレジスタ回路４Ａに表示開始信号ＦＬＭが入力されるよう構成されている。このリセット回路８は、電源を投入後、容量素子Ｃが充電されるまでの間、シフトレジスタ回路４Ａにはアンド回路ＡＮＤから“Ｌ”を出力し、全べての走査電極２を非選択状態にすることができる。この表示開始信号ＦＬＭの遅延時間（電源投入時からの所定の期間）は、コントローラ回路６からの表示データ信号Ｄ及びクロック信号ＣＬ１、ＣＬ２が確定（安定）する時間よりも長くする。」（第２頁右下欄第１３行〜第３頁右下欄第１０行）ことが記載されている。 
　上記（Ａ−１）〜（Ａ−３）を参照すると、上記引用刊行物Ａには、 
「クロック信号ＣＬ１、ＣＬ２、交流化信号Ｍとコントローラ回路６からの表示開始信号ＦＬＭ、表示データ信号Ｄとを走査電極駆動回路４、表示電極駆動回路５に供給して液晶表示部１に表示をする時分割駆動方式の液晶表示装置において、 
　電源Ｖに接続された抵抗素子Ｒと容量素子Ｃを直列に接続し、容量素子Ｃの充電後の充電レベルとコントローラ回路６から出力される表示開始信号ＦＬＭとを入力するアンド回路ＡＮＤで構成されたリセット回路８を備え、電源投入後、容量素子Ｃが充電されるまでの所定の期間はアンド回路ＡＮＤを“Ｌ”としコントローラ回路からの表示開始信号ＦＬＭを走査電極駆動回路４に出力しないようにすることにより、電源投入時の液晶表示素子の異常な乱れによる耐久性の劣化を無くして液晶表示素子の耐久性を向上させるとともに液晶表示の見苦しさを低減した時分割駆動方式の液晶表示装置。」の発明（以下、「引用発明」という。）が記載されていると認める。 
　また、上記引用刊行物Ｂには、 
（Ｂ−１）「本案は画素メモリの内容を陰極線管のラスタ走査に同期して読み出し、これを陰極線管の画面上に表示する陰極線管表示装置に関する。」（明細書第１頁最下行〜第２頁第２行）こと、 
（Ｂ−２）「中央演算処理装置（以下ＣＰＵと称する）によって制御される表示用の画素メモリをもった陰極線管表示装置では、一般に電源スイッチの投入と同時に全くランダムなデータを保持した画素メモリの内容が一瞬、陰極線管の画面上に表示される。その後、ＣＰＵが動作して画素メモリの初期化を行ない、この初期化動作が終了して初めて画素データが例えばオール“０”にクリアされる。この電源投入から画素メモリの初期化終了までの間の画素メモリのランダムデータはランダムなパターンとなって画面に現われ、わずかな時間とはいえ大変目ざわりなものであった。本案はかかる点に鑑みてなされたもので、その目的は電源投入時に生じるランダムパターンを除去する回路を有した陰極線管表示装置を提供するものである。」（明細書第２頁第３〜１９行）こと、 
（Ｂ−３）「第１図は本案の・・・ブロック回路図である。・・・この種の装置は・・・文字、図形等の画像を陰極線管（以下ＣＲＴと称す）１の画面上に表示する。・・・ビデオ信号は並列直列変換器２から出力される。・・・３は画面上に表示される輝点の絵素マトリックスを所定の個数の単位でリフレッシュ表示するための画素メモリで、・・・メモリ３に取り込まれる画像データはバッファ５から与えられる。」（明細書第３頁第１〜１６行）こと、 
（Ｂ−４）「ＣＰＵ８は電源の投入によって不揮発性メモリ９に書き込まれたプログラムに従って各部のイニシャル処理を開始する。このとき、このプログラムには上記イニシャル処理中に、例えば画素メモリ３をオール“０”にクリアする処理ルーチン、いいかえれば画面に特定のイニシャルパターンを表示する処理ルーチンがあらかじめ組み込まれている。・・・要部の出力ゲート回路１４としては、例えば第２図に示されるような回路が用いられる。出力ゲート回路１４はフリップフロップ１４１、ＡＮＤゲート１４２、インバータ１４３，１４４、抵抗１４５およびコンデンサ１４６によって構成される。端子１４７には後述のアドレスデコーダ１３からの書き込み完了信号・・・が入力される。また、端子１４８には、並列直列変換器２からの画素ビデオ信号が入力され、端子１４９はＡＮＤゲート１４２を通過した画素ビデオ信号を出力するものである。・・・ＣＰＵ８は電源の投入と同時に、すでに述べたように各部のイニシャル処理に入る。この処理中において上述の特定のイニシャルパターンを画素メモリに書き込む処理ルーチンが実行される。この画素メモリの初期化ルーチンの終了後にＣＰＵ８は画素ビデオ信号の表示を開始する指令を与える。すなわち特定のアドレスに対して書き込み命令を発すると、このときのアドレス信号をアドレスバスＡＢからアドレスデコーダ１３に取り込む。アドレスデコーダ１３はこのアドレス信号をデコードし、ＣＰＵ８から出力されるメモリライト信号・・・に同期して、メモリ表示開始信号・・・を出力する。出力ゲート回路１４ではこのメモリ表示開始信号・・・が端子１４７を経てフリップフロップ１４１の・・・端子に印加されＱ出力を“１”に反転する。したがって、ＡＮＤゲート１４２はゲートを開き、これまで禁止されていた端子１４８からの画素ビデオ信号の通過を許す。その結果、端子１４９から画素ビデオ信号が出力され、ＣＲＴ１に画素メモリ３の内容すなわち特定のイニシャルパターンが表示される。・・・以上のように本案によれば、電源投入時からＣＰＵ８が画素メモリの初期化を行なうイニシャル処理を実行するまでの間に生じる、ＣＲＴ１の画面上の意味のないランダムなパターンの表示を禁止することによって、使用者に対して本来のデータ処理表示機能をより見やすくかつ使いやすくするものである。」（明細書第３頁第１行〜第８頁最下行）ことが記載されている。 
（Ｂ−５）また、第１図には並列直列変換器２からの出力ＰＳＯＵＴとアドレスデコーダ１３の出力が出力ゲート回路１４に入力され、出力ゲート回路１４の出力ＧＴＯＵＴが出力増幅器１２を介してＣＲＴ１に出力されることが読み取れる。
 　　　 
４．対比  
　本願発明と引用発明とを対比する。 
　引用発明の「コントローラ回路６」、「表示開始信号ＦＬＭ、クロック信号ＣＬ１、ＣＬ２、交流化信号Ｍ」、「表示データ信号Ｄ」、「時分割駆動方式の液晶表示装置」、「電源投入時の液晶表示の異常な乱れによる液晶表示の見苦しさを低減した」がそれぞれ本願発明の「タイミングコントローラ」、「走査信号」、「表示データ」、「表示システム」、「画面が乱れないようにする」に相当する。 
　また、引用刊行物Ａの上記（Ａ−２）の「液晶表示装置の電源投入時からしばらくの間、コントローラから出力される表示開始信号、表示データ信号が不確定であるので、液晶表示が異常に乱れる。・・・このため、液晶表示素子の耐久性が劣化するという問題点を生じる。・・・本発明の目的は、時分割駆動方式の液晶表示装置において、液晶表示素子の耐久性を向上することが可能な技術を提供することにある。」の記載、及び（Ａ−３）の「このリセット回路８は、電源を投入後、容量素子Ｃが充電されるまでの間、シフトレジスタ回路４Ａにはアンド回路ＡＮＤから“Ｌ”を出力し、全べての走査電極２を非選択状態にすることができる。この表示開始信号ＦＬＭの遅延時間（電源投入時からの所定の期間）は、コントローラ回路６からの表示データ信号Ｄ及びクロック信号ＣＬ１、ＣＬ２が確定（安定）する時間よりも長くする。」という記載を参照すると、引用発明のリセット回路８の容量素子Ｃの充電後の充電レベルは、コントローラ回路６からの表示開始信号ＦＬＭ、表示データ信号Ｄが確定（安定）したのちにコントローラから出力される表示開始信号ＦＬＭをアンド回路ＡＮＤから通過させ走査電極駆動回路４に供給するように制御しているから、引用発明のリセット回路８は電源投入時のコントローラ回路６から出力される表示開始信号ＦＬＭ、表示データ信号Ｄが確定（安定）したのちに表示開始信号ＦＬＭを通過させるアンド回路ＡＮＤを有するものである。 
　一方、本願明細書の段落番号【００１５】に「システムリセットを行なってシステムを立ち上げるとき、タイミングコントローラ６内に設けられているイニシャライズが必要な部分の初期化が完了するまで、ＬＣＤモジュール７側の駆動を停止し、初期化が完了した後、前記ＬＣＤモジュール７の駆動を開始し、これによってリセット直後において、このＬＣＤモジュール７の画面が乱れないようにすることができる。」と記載されていることから、本願発明のタイミングコントローラのイニシャライズが終了したときはタイミングコントローラの動作や出力される走査信号や表示データが確定（安定）しているものと認められる。 
　さらに、引用発明の「走査電極駆動回路４、表示電極駆動回路５、液晶表示部１」は本願発明の「表示モジュール」に相当する。 
　そうすると、本願発明と引用発明とは、 
「タイミングコントローラによって走査信号を生成して、この走査信号とともに、表示対象となる画像の内容を示す表示データを表示モジュールに供給して画面表示させる表示システムにおいて、 
　前記タイミングコントローラが確定（安定）したとき走査信号を取込んで表示モジュールの駆動する走査信号を生成するアンド回路とを備え、 
　前記タイミングコントローラが確定（安定）するまで、前記タイミングコントローラで生成される走査信号のうち、予め指定されている走査信号の出力を中止し、前記タイミングコントローラが確定（安定）したとき出力を中止していた走査信号の出力を開始し、表示モジュールの駆動を開始させることによって、表示モジュールの画面が乱れないようにすることを特徴とする表示システム。」である点で一致し、次の相違点（イ）及び（ロ）で相違している。 
・相違点（イ）  
　本願発明ではタイミングコントローラから生成される走査信号が「各種の走査信号」であり、この「各種の走査信号」が「表示モジュール」に供給されるのに対して、引用発明ではコントローラ回路６から生成される走査信号が「表示開始信号ＦＬＭ」であり、この「表示開始信号ＦＬＭ」が表示モジュールとしての「走査電極駆動回路４、表示電極駆動回路５、液晶表示部１」に供給される点。 
・相違点（ロ） 
　タイミングコントローラが確定（安定）したときを判断するのに、本願発明では「タイミングコントローラのイニシャライズが終了したときＣＰＵ回路から出力されるイニシャライズ終了信号をラッチするラッチ回路」を設け、この「ラッチ回路」の出力を用いているのに対して、引用発明では「リセット回路８の容量素子Ｃの充電後の充電レベル」の出力を用いている点。 
　　
５．当審の判断  
　そこで、上記相違点（イ）及び（ロ）について判断する。 
・相違点（イ）について 
　引用発明では「クロック信号ＣＬ１、ＣＬ２、交流化信号Ｍ」の走査信号がコントローラ回路６から生成されることは記載されていないが、液晶表示装置において各種の走査信号をコントローラから出力し、これらの走査信号を表示モジュールに供給することは周知（例えば特開昭６０−２４７６９５号公報の第１１図、特開昭６１−２０５９８２号公報の第１図参照）であり、引用発明においても表示開始信号ＦＬＭのほかに、「クロック信号ＣＬ１、ＣＬ２、交流化信号Ｍ」の各種の走査信号も、コントローラ回路６から生成するとともに、生成された各種の走査信号を表示モジュールに供給することは当業者が容易になし得るものである。 
　　
・相違点（ロ）について 
　引用刊行物Ａの上記（Ａ−１）には「〔産業上の利用分野〕本発明は、液晶表示装置に関し、特に、時分割駆動方式の液晶表示装置に適用して有効な技術に関するものである。〔従来の技術〕コンピュータ，卓上計算機等のディスプレイには、時分割駆動方式の液晶表示装置が使用されている。」ことが記載されており、コンピュータ、卓上計算機にはＣＰＵを備えていることが明らかであるから、引用発明の時分割駆動方式の液晶表示装置においてもＣＰＵを備えているものである。 
　一方、ＣＰＵが電源投入時に各部のイニシャル処理をするとともに、イニシャル処理終了後に出力されるＣＰＵからのメモリ表示開始信号がラッチされるラッチ回路を設け、このラッチ回路の出力があるとアンド回路から画素ビデオ信号が供給される陰極線管表示装置が上記引用刊行物Ｂに記載されており、上記引用刊行物Ｂのイニシャル処理終了後に出力されるＣＰＵからのメモリ表示開始信号がラッチされるラッチ回路の出力があるとアンド回路から画素ビデオ信号が供給されるように構成したことは、引用発明と同様にＣＰＵを有する表示装置において電源投入時に確定（安定）した表示信号を供給して電源投入時の表示装置を見やすくするためのものであり、さらに上記引用刊行物ＢのＣＰＵからのメモリ表示開始信号は画素メモリの初期化ルーチンの終了後、すなわちイニシャル処理終了後に出力される信号であって、このメモリ表示開始信号はイニシャルライズ終了を意味する信号であることは明らかであるから、タイミングコントローラが確定（安定）したときを判断するのに、引用発明の電源投入時の 「リセット回路８の容量素子Ｃの充電後の充電レベル」の出力を用いる代わりに引用刊行物Ｂのイニシャル処理後に出力されるＣＰＵからのイニシャル処理終了後に出力されるメモリ表示開始信号、すなわち、ＣＰＵからのイニシャライズ終了信号をラッチするラッチ回路の出力を用い、電源投入時の表示を見やすくすることは当業者であれば容易になし得るものである。 
　
　なお、請求人は意見書で「第一に、複写機やプリンタやＦＡＸなどの画像形成装置に搭載される表示システムにおいては、このイニシャライズ処理はタイミングコントローラが独自に行うものではなく、他のシステムとの通信を行いながら処理されるものであります。画像形成装置（以下、装置）の場合では表示システムは装置内にある画像データ送信システムとシリアル通信を行いながらイニシャライズ処理（以下、処理）を行っています。したがって、処理にかかる時間は通信相手システムの状態により大きく変動する可能性があるものとなります。また、電源電圧変動や温度などの条件によっても処理時間は変動する可能性があります。このように、同一装置においても処理にかかる時間は変動するものであり、また、その時間を事前に予測することは困難なことであります。したがって、処理が終了した際にはＣＰＵ回路がこれを検知してイニシャライズ終了信号を出力して走査信号の出力を開始することが本装置に搭載される表示システムとして最も優位な構成となるものであり、本願発明の特徴となるものであります。引用文献Ａに記載のリセット回路ではこのような処理時間の変動に対応することは困難であり、本願発明が優位となります。
　第二に、引用文献Ａ、Ｂともに電源投入時だけの表示モジュールの乱れ防止を想定したものでありますが、本願発明は電源投入時以外の表示システム立ち上げ時にも対応が可能となるものであります。本願発明ではイニシャライズ処理終了後に出力されるＣＰＵからの処理終了信号がラッチされてＡＮＤ回路に入力されることで出力を中止していた走査信号の出力を開始し、表示モジュールの駆動を開始させることによってイニシャライズ時における表示モジュールの画面が乱れないようにすることを特徴とするものであります。画像形成装置などでは他の通信システムとのシリアル通信を行いながらイニシャライズ処理を行われていますが、その場合、イニシャライズ処理は電源投入時以外にも頻繁に実行されます。例えば、表示モジュールのあるＦＡＸ機では送受信時以外は必ずしも表示モジュールを表示させておく必要はありません。送信または受信信号を検知した後にイニシャライズ処理を実行して表示モジュールを表示させるようにすればよいものです。また、表示モジュールのある複写機でも同様で、普段使用していないときは表示させる必要はありません。人が複写機の前に立ったときに複写機内蔵のセンサ回路がそれを検知してイニシャライズ処理を実行して表示モジュールを表示させるようにすればよいものです。」旨を主張している。
　しかしながら、請求人の「表示システムが複写機やプリンタやＦＡＸなどの画像形成装置に搭載される」こと、及び「イニシャライズ処理はタイミングコントローラが独自に行うものではなく、他のシステムとの通信を行いながら処理されるものである」との第一の主張は特許請求の範囲のみならず本願明細書又は図面においても記載がないから、請求人の上記主張は特許請求の範囲の記載に基づかない主張であって採用できないものである。
　さらに、請求人は「引用文献Ａ、Ｂともに電源投入時だけの表示モジュールの乱れ防止を想定したものでありますが、本願発明は電源投入時以外の表示システム立ち上げ時にも対応が可能となるものであります。・・・画像形成装置などでは他の通信システムとのシリアル通信を行いながらイニシャライズ処理を行われていますが、その場合、イニシャライズ処理は電源投入時以外にも頻繁に実行されます。」と第二の主張をしているが、本願の明細書又は図面にはイニシャライズ処理がどのようなときに行われるかについて何ら記載がなく、ましてや本願明細書の特許請求の範囲には電源の投入時のイニシャライズを除くことも記載されていないから、本願発明のイニシャライズ処理は電源投入時のイニシャライズ処理を含むものであって、請求人の第二の主張も本願特許請求の範囲の記載に基づかない主張であって採用できないものである。
　
　そして、本願発明によってもたらされる効果は、上記引用発明、引用刊行物Ｂに記載された発明及び周知の技術事項から予測される範囲内のものである。  　 
　したがって、本願発明は、引用発明、上記引用刊行物Ｂに記載された発明及び周知の技術事項に基づき当業者が容易に発明をすることができたものである。 
　　　　　　　　　　 
６．むすび 
　以上のとおりであるから、本願発明は特許法第２９条第２項の規定により特許を受けることができないものであり、本願は、拒絶をすべきものである。  　 
　
　よって、結論のとおり審決する。